【手続補正書】
【提出日】平成17年6月22日(2005.6.22)
【手続補正１】
【補正対象書類名】特許請求の範囲
【補正対象項目名】全文
【補正方法】変更
【補正の内容】
【特許請求の範囲】
【請求項１】
画像形成に使用する消耗品としてトナーが収納された消耗品収納室，静電潜像を形成するための感光ドラム，前記感光ドラムを帯電させる帯電ローラ，前記帯電ローラにトナーを付着させて前記静電潜像を現像する現像ローラを備え、画像形成装置に装填されるカートリッジに設けられたカートリッジメモリから、そこに暗号化されて格納された情報を読み出す読み出しステップと、その情報に基づいて、前記カートリッジが不適正に前記消耗品が詰め替えられた不適正なカートリッジかどうかを判定する判定ステップと、不適正と判定された場合には、前記画像形成装置に設けられた表示器に、前記カートリッジが不適正であることを表示する表示ステップとをコンピュータに実行させることを特徴とするプログラムが格納された記憶媒体。
【請求項２】
前記情報には、カートリッジ識別情報が含まれることを特徴とする請求項１記載のプログラムが格納された記憶媒体。
【請求項３】
前記情報には、前記画像形成装置本体から取り出されたことを表す取り出し情報が含まれることを特徴とする請求項１又は２記載のプログラムが格納された記憶媒体。
【請求項４】
前記情報には、前記消耗品を使い切ったことを表す空情報が含まれることを特徴とする請求項１〜３いずれか記載のプログラムが格納された記憶媒体。
【請求項５】
前記情報には、プリンタ稼働情報が含まれることを特徴とする請求項１〜４いずれか記載のプログラムが格納された記憶媒体。
【請求項６】
画像形成に使用する消耗品としてトナーが収納された消耗品収納室，静電潜像を形成するための感光ドラム，前記感光ドラムを帯電させる帯電ローラ，前記帯電ローラにトナーを付着させて前記静電潜像を現像する現像ローラを備え画像形成装置に装填されるカートリッジに設けられたカートリッジメモリから、そこに格納された情報を読み出す読み出しステップと、その情報に基づいて、前記カートリッジが不適正に前記消耗品が詰め替えられた不適正なカートリッジかどうかを判定する判定ステップと、不適正と判定された場合には、前記画像形成装置に設けられた表示器に、前記カートリッジが不適正であることを表示する表示ステップとをコンピュータに実行させることを特徴とするプログラムが格納された記憶媒体。
【請求項７】
前記情報には、カートリッジ識別情報が含まれることを特徴とする請求項６記載のプログラムが格納された記憶媒体。
【請求項８】
前記情報には、前記画像形成装置本体から取り出されたことを表す取り出し情報が含まれることを特徴とする請求項６又は７記載のプログラムが格納された記憶媒体。
【請求項９】
前記情報には、前記消耗品を使い切ったことを表す空情報が含まれることを特徴とする請求項６〜８いずれか記載のプログラムが格納された記憶媒体。
【請求項１０】
前記情報には、プリンタ稼働情報が含まれることを特徴とする請求項６〜９いずれか記載のプログラムが格納された記憶媒体。
【請求項１１】
画像形成に使用する消耗品としてトナーが収納された消耗品収納室，静電潜像を形成するための感光ドラム，前記感光ドラムを帯電させる帯電ローラ，前記帯電ローラにトナーを付着させて前記静電潜像を現像する現像ローラを備え、画像形成装置に装填されるカートリッジに設けられたカートリッジメモリから、そこに暗号化されて格納された情報を読み出す読み出しステップと、その情報に基づいて、前記カートリッジが不適正に前記消耗品が詰め替えられた不適正なカートリッジかどうかを判定する判定ステップと、不適正と判定された場合には、前記カートリッジを使用禁止にする使用禁止ステップとをコンピュータに実行させることを特徴とするプログラムが格納された記憶媒体。
【請求項１２】
前記情報には、カートリッジ識別情報が含まれることを特徴とする請求項１１記載のプログラムが格納された記憶媒体。
【請求項１３】
前記情報には、前記画像形成装置本体から取り出されたことを表す取り出し情報が含まれることを特徴とする請求項１１又は１２記載のプログラムが格納された記憶媒体。
【請求項１４】
前記情報には、前記消耗品を使い切ったことを表す空情報が含まれることを特徴とする請求項１１〜１３いずれか記載のプログラムが格納された記憶媒体。
【請求項１５】
前記情報には、プリンタ稼働情報が含まれることを特徴とする請求項１１〜１４いずれか記載のプログラムが格納された記憶媒体。
【請求項１６】
画像形成に使用する消耗品としてトナーが収納された消耗品収納室，静電潜像を形成するための感光ドラム，前記感光ドラムを帯電させる帯電ローラ，前記帯電ローラにトナーを付着させて前記静電潜像を現像する現像ローラを備え、画像形成装置に装填されるカートリッジに設けられたカートリッジメモリから、そこに格納された情報を読み出す読み出しステップと、その情報に基づいて、前記カートリッジが不適正に前記消耗品が詰め替えられた不適正なカートリッジかどうかを判定する判定ステップと、不適正と判定された場合には、前記カートリッジを使用禁止にする使用禁止ステップとをコンピュータに実行させることを特徴とするプログラムが格納された記憶媒体。
【請求項１７】
前記情報には、カートリッジ識別情報が含まれることを特徴とする請求項１６記載のプログラムが格納された記憶媒体。
【請求項１８】
前記情報には、前記画像形成装置本体から取り出されたことを表す取り出し情報が含まれることを特徴とする請求項１６又は１７記載のプログラムが格納された記憶媒体。
【請求項１９】
前記情報には、前記消耗品を使い切ったことを表す空情報が含まれることを特徴とする請求項１６〜１８いずれか記載のプログラムが格納された記憶媒体。
【請求項２０】
前記情報には、プリンタ稼働情報が含まれることを特徴とする請求項１６〜１９いずれか記載のプログラムが格納された記憶媒体。
【請求項２１】
画像形成装置に装填され画像形成に使用する消耗品を収納するカートリッジに設けられたカートリッジメモリから、そこに暗号化されて格納された情報を読み出す読み出しステップと、その情報に基づいて、前記カートリッジが不適正に前記消耗品が詰め替えられた不適正なカートリッジかどうかを判定する判定ステップと、不適正と判定された場合には、前記画像形成装置に設けられた表示器に、前記カートリッジが不適正であることを表示する表示ステップとをコンピュータに実行させることを特徴とするプログラムが格納された記憶媒体。
【請求項２２】
前記情報には、カートリッジ識別情報が含まれることを特徴とする請求項２１記載のプログラムが格納された記憶媒体。
【請求項２３】
前記情報には、前記画像形成装置本体から取り出されたことを表す取り出し情報が含まれることを特徴とする請求項２１又は２２記載のプログラムが格納された記憶媒体。
【請求項２４】
前記情報には、前記消耗品を使い切ったことを表す空情報が含まれることを特徴とする請求項２１〜２３いずれか記載のプログラムが格納された記憶媒体。
【請求項２５】
前記情報には、プリンタ稼働情報が含まれることを特徴とする請求項２１〜２４いずれか記載のプログラムが格納された記憶媒体。
【請求項２６】
画像形成装置に装填され画像形成に使用する消耗品を収納するカートリッジに設けられたカートリッジメモリから、そこに格納された情報を読み出す読み出しステップと、その情報に基づいて、前記カートリッジが不適正に前記消耗品が詰め替えられた不適正なカートリッジかどうかを判定する判定ステップと、不適正と判定された場合には、前記画像形成装置に設けられた表示器に、前記カートリッジが不適正であることを表示する表示ステップとをコンピュータに実行させることを特徴とするプログラムが格納された記憶媒体。
【請求項２７】
前記情報には、カートリッジ識別情報が含まれることを特徴とする請求項２６記載のプログラムが格納された記憶媒体。
【請求項２８】
前記情報には、前記画像形成装置本体から取り出されたことを表す取り出し情報が含まれることを特徴とする請求項２６又は２７記載のプログラムが格納された記憶媒体。
【請求項２９】
前記情報には、前記消耗品を使い切ったことを表す空情報が含まれることを特徴とする請求項２６〜２８いずれか記載のプログラムが格納された記憶媒体。
【請求項３０】
前記情報には、プリンタ稼働情報が含まれることを特徴とする請求項２６〜２９いずれか記載のプログラムが格納された記憶媒体。
【請求項３１】
画像形成装置に装填され画像形成に使用する消耗品を収納するカートリッジに設けられたカートリッジメモリから、そこに暗号化されて格納された情報を読み出す読み出しステップと、その情報に基づいて、前記カートリッジが不適正に前記消耗品が詰め替えられた不適正なカートリッジかどうかを判定する判定ステップと、不適正と判定された場合には、前記カートリッジを使用禁止にする使用禁止ステップとをコンピュータに実行させることを特徴とするプログラムが格納された記憶媒体。
【請求項３２】
前記情報には、カートリッジ識別情報が含まれることを特徴とする請求項３１記載のプログラムが格納された記憶媒体。
【請求項３３】
前記情報には、前記画像形成装置本体から取り出されたことを表す取り出し情報が含まれることを特徴とする請求項３１又は３２記載のプログラムが格納された記憶媒体。
【請求項３４】
前記情報には、前記消耗品を使い切ったことを表す空情報が含まれることを特徴とする請求項３１〜３３いずれか記載のプログラムが格納された記憶媒体。
【請求項３５】
前記情報には、プリンタ稼働情報が含まれることを特徴とする請求項３１〜３４いずれか記載のプログラムが格納された記憶媒体。
【請求項３６】
画像形成装置に装填され画像形成に使用する消耗品を収納するカートリッジに設けられたカートリッジメモリから、そこに格納された情報を読み出す読み出しステップと、その情報に基づいて、前記カートリッジが不適正に前記消耗品が詰め替えられた不適正なカートリッジかどうかを判定する判定ステップと、不適正と判定された場合には、前記カートリッジを使用禁止にする使用禁止ステップとをコンピュータに実行させることを特徴とするプログラムが格納された記憶媒体。
【請求項３７】
前記情報には、カートリッジ識別情報が含まれることを特徴とする請求項３６記載のプログラムが格納された記憶媒体。
【請求項３８】
前記情報には、前記画像形成装置本体から取り出されたことを表す取り出し情報が含まれることを特徴とする請求項３６又は３７記載のプログラムが格納された記憶媒体。
【請求項３９】
前記情報には、前記消耗品を使い切ったことを表す空情報が含まれることを特徴とする請求項３６〜３８いずれか記載のプログラムが格納された記憶媒体。
【請求項４０】
前記情報には、プリンタ稼働情報が含まれることを特徴とする請求項３６〜３９いずれか記載のプログラムが格納された記憶媒体。